(57)【特許請求の範囲】
【請求項１】
底壁部と周壁部とを備えたカップ状本体における該底壁部に血液濾過膜で覆われた透孔が設けられていると共に、該底壁部における該透孔よりも外周側において下方に向かって突出して周方向に延びる位置決め突起が形成されており、該血液濾過膜で濾過された濾過血液の収容容器の開口部に対する位置決め部として、該位置決め突起の内周面および該位置決め突起の内周側の該底壁部の下面とによる第１の位置決め部と、該位置決め突起の外周面および該位置決め突起の外周側の該底壁部の下面とによる第２の位置決め部とが設けられて、該第１の位置決め部と該第２の位置決め部が該収容容器の開口部サイズに応じて選択的に該収容容器の開口部に位置決めされ得るようになっていることを特徴とする血液濾過フィルタ。
【請求項２】
前記位置決め突起が周上で部分的に形成されており、該位置決め突起が設けられていない領域において、前記底壁部における該位置決め突起の内周側の下面を外周側に開放する開放部が設けられている請求項１に記載の血液濾過フィルタ。
【請求項３】
前記周壁部から外周側に突出して広がるプレート状部が形成されて、該プレート状部から下方に突出する該周壁部の外周面と該プレート状部の下面とによって第３の位置決め部が構成されており、前記収容容器の開口部に対する位置決め部が該第３の位置決め部を含んで構成されて、前記第１の位置決め部と該第２の位置決め部と該第３の位置決め部が該収容容器の開口部サイズに応じて選択的に該収容容器の開口部に位置決めされ得るようになっている請求項１又は２に記載の血液濾過フィルタ。
【請求項４】
前記プレート状部が、前記周壁部の周方向の全周に亘って連続的に形成され且つ該周壁部からの突出寸法が周上で異ならされることによって実質的に多角形の板形状とされている請求項３に記載の血液濾過フィルタ。
【発明の詳細な説明】
【技術分野】
【０００１】
本発明は、採取した血液の濾過等に用いられる血液濾過フィルタに関する。
【背景技術】
【０００２】
従来から、採取した血液を濾過する血液濾過フィルタが知られている。例えば、血栓等で閉塞した血管の閉塞部位に対して血栓吸引カテーテルを挿し入れて採取した血液を、血液濾過フィルタを用いて濾過し、分離された血栓を含む残留物を観察や分析等することが行われている。
【０００３】
かかる血液濾過フィルタは、一般に特開２０１３−１４１４５６号公報（特許文献１）に記載のセルストレーナのように、フィルタが骨組みで支えられて上方に開口する構造とされている。そして、濾液を収容するための収容容器の開口部に血液濾過フィルタを設置し、採取した血液を上方から注ぎ入れることで、血液濾過フィルタの底壁や周壁に配されたフィルタにより濾過されて血栓等が分離される。
【０００４】
ところで、血液濾過フィルタを載置して濾液を収容するための収容容器は、濾過する血液の量やフィルタサイズ、作業性などに応じて、異なる容量や形状のものを用いることがある。
【０００５】
ところが、特許文献１に開示された従来の血液濾過フィルタは、フィルタを支える骨組みを収容容器の開口部から嵌め入れ、骨組みの上端周縁に突設された狭幅鍔状の保持部を収容容器の開口部上面に重ね合わせて装着するようになっていた。そのために、装着可能な収容容器の開口部サイズが極めて限定されてしまい、容量や形状が異なる収容容器に応じて、それぞれサイズが異なる血液濾過フィルタを準備して用いることが必要とされることから、作業が煩雑で利便性も悪い等という問題があった。
【先行技術文献】
【特許文献】
【０００６】
【特許文献１】特開２０１３−１４１４５６号公報
【発明の概要】
【発明が解決しようとする課題】
【０００７】
ここにおいて、本発明は、上述の如き事情を背景として為されたものであって、その解決課題とするところは、開口部サイズが異なる複数種類の収容容器に対しても装着可能とされた、新規な構造の血液濾過フィルタを提供することにある。
【課題を解決するための手段】
【０００８】
本発明の第１の態様は、底壁部と周壁部とを備えたカップ状本体における該底壁部に血液濾過膜で覆われた透孔が設けられていると共に、該底壁部における該透孔よりも外周側において下方に向かって突出して周方向に延びる位置決め突起が形成されており、該血液濾過膜で濾過された濾過血液の収容容器の開口部に対する位置決め部として、該位置決め突起の内周面および該位置決め突起の内周側の該底壁部の下面とによる第１の位置決め部と、該位置決め突起の外周面および該位置決め突起の外周側の該底壁部の下面とによる第２の位置決め部とが設けられて、該第１の位置決め部と該第２の位置決め部が該収容容器の開口部サイズに応じて選択的に該収容容器の開口部に位置決めされ得るようになっていることを、特徴とする血液濾過フィルタである。
【０００９】
本態様に従う構造とされた血液濾過フィルタによれば、第１の位置決め部と第２の位置決め部とが設けられており、収容容器における開口部のサイズに応じて、第１の位置決め部と第２の位置決め部とが選択的に適合して位置決めされる。それ故、開口部のサイズの異なる収容容器に対しても、共通の血液濾過フィルタを装着して用いることが可能となる。
【００１０】
本発明の第２の態様は、前記第１の態様に係る血液濾過フィルタであって、前記位置決め突起が周上で部分的に形成されており、該位置決め突起が設けられていない領域において、前記底壁部における該位置決め突起の内周側の下面を外周側に開放する開放部が設けられているものである。
【００１１】
本態様に従う構造とされた血液濾過フィルタによれば、例えば、収容容器の開口部の内周面や外周面に対して位置決め突起が略密接して嵌め合わされる場合でも、周上で位置決め突起が形成されていない開口部を通じて、収容容器の内部と外部空間との連通状態が維持されることとなり、血液濾過時における収容容器の内圧の上昇に伴う血液のフィルタ通過抵抗の増大などの問題が回避される。
【００１２】
また、収容容器の開口部に、ビーカーの注ぎ口の如き外周への突出部分が形成されていても、当該突出部分と開放部を位置合わせすることで、突出部分の位置決め突起への干渉が回避される。それ故、収容容器の開口部に突出部分等が設けられている場合でも、血液濾過フィルタを収容容器に対して傾くことなく正規状態で安定して装着することが可能になる。
【００１３】
本発明の第３の態様は、前記第１又は第２の態様に係る血液濾過フィルタにおいて、前記周壁部から外周側に突出して広がるプレート状部が形成されて、該プレート状部から下方に突出する該周壁部の外周面と該プレート状部の下面とによって第３の位置決め部が構成されており、前記収容容器の開口部に対する位置決め部が該第３の位置決め部を含んで構成されて、前記第１の位置決め部と該第２の位置決め部と該第３の位置決め部が該収容容器の開口部サイズに応じて選択的に該収容容器の開口部に位置決めされ得るようになっているものである。
【００１４】
本態様に従う構造とされた血液濾過フィルタによれば、第１及び第２の位置決め部に加えて第３の位置決め部が設けられており、収容容器の開口部サイズに応じて、これら第１〜第３の位置決め部が選択的に収容容器に適合して機能し得ることから、より多種類の収容容器に対しても血液濾過フィルタを安定して装着することが可能になる。
【００１５】
本発明の第４の態様は、前記第３の態様に係る血液濾過フィルタにおいて、前記プレート状部が、前記周壁部の周方向の全周に亘って連続的に形成され且つ該周壁部からの突出寸法が周上で異ならされることによって実質的に多角形の板形状とされているものである。
【００１６】
本態様に従う構造とされた血液濾過フィルタによれば、プレート状部が周方向の全周に亘って連続的に形成されることから、把持が容易とされると共に、プレート状部が補強リブとして作用してカップ状本体における強度や剛性の向上が図られ得る。また、周方向で突出寸法が異ならされて、実質的に多角形の板形状とされていることから、突出寸法を全周で一定とした円形の板形状に比してサイズを全体的にコンパクトに抑え得ると共に、意匠的にもまとまったデザインとすることができる。
【発明の効果】
【００１７】
本発明に従う構造とされた血液濾過フィルタによれば、複数の位置決め部が設けられることで、サイズの異なる収容容器の開口部に対して、それらの位置決め部を選択的に利用することができる。これにより、開口部のサイズの異なる収容容器に対しても血液濾過フィルタを安定して装着して用いることが可能となる。
【図面の簡単な説明】
【００１８】
【図１】本発明の１実施形態としての血液濾過フィルタを示す平面方向からの斜視図。
【図２】図１に示される血液濾過フィルタの底面方向からの斜視図。
【図３】図１に示される血液濾過フィルタの平面図。
【図４】図３におけるＩＶ−ＩＶ断面図。
【図５】図１に示される血液濾過フィルタにおける収容容器への取付状態を説明するための説明図であって、図３におけるＶ−Ｖ断面図。
【図６】図１に示される血液濾過フィルタにおける別のサイズの収容容器への取付状態を説明するための説明図であって、図５に相当する図。
【図７】図１に示される血液濾過フィルタにおける更に別のサイズの収容容器への取付状態を説明するための説明図であって、図５に相当する図。
【発明を実施するための形態】
【００１９】
以下、本発明の実施形態について、図面を参照しつつ説明する。
【００２０】
先ず、図１〜４には、本発明の１実施形態としての血液濾過フィルタ１０が示されている。この血液濾過フィルタ１０は、全体として円形の略カップ形状を呈しており、図５〜７に示されるように、ビーカー等の収容容器（図中に仮想線で図示）の開口部に装着されて、血液の濾過に用いられる。なお、以下の説明中の上下方向は、原則として、血液濾過フィルタ１０の使用状態で略鉛直上下方向とされる、図４中の上下方向をいう。
【００２１】
より詳細には、本実施形態の血液濾過フィルタ１０は、円形の略カップ形状の骨格を構成するカップ状本体としての本体部１２を備えている。この本体部１２は、円板形状の底壁部１４と、底壁部１４の外周縁部から上方に立ち上がる円筒形状の周壁部１６を備えている。なお、本体部１２の材質は、強度や耐久性、成形性などを考慮して、例えばポリプロピレンやＡＢＳ、ポリアミド等の合成樹脂材が好適に採用される。
【００２２】
また、底壁部１４には、厚さ方向に貫通する透孔１８が、底壁部の上面２０と下面２２とに開口して形成されている。なお、本実施形態では、９０度近い中心角の扇形状を有する透孔１８が、底壁部１４の中心軸回りで等間隔に４つ形成されている。これにより、底壁部１４は、４つの透孔１８，１８，１８，１８を周方向で仕切る十字形状の格子部２４と、各格子部２４の外周端を相互に接続する外周の円環状部２６から構成されている。
【００２３】
そして、これら格子部２４と円環状部２６で囲まれた４つの透孔１８，１８，１８，１８をそれぞれ覆うようにして、血液濾過膜としてのフィルタ２８が設けられている。
【００２４】
かかるフィルタ２８としては、濾過に要求される物性とメッシュ径を有するものが採用される。例えば、一般的な血栓濾過用途としては、ポリアミドやポリスルホン、ポリエチレン、ポリメチルメタクリレート等の合成樹脂材のメッシュシートであって、５０〜２００μｍ程度のメッシュ口径が好適に採用される。なお、各図におけるフィルタ２８は、見やすさを優先しており、メッシュの構造や大きさは正しく示されていない。また、図３では、フィルタ２８の図示自体を省略している。
【００２５】
このようなフィルタ２８は、４つの透孔１８，１８，１８，１８よりも一回り大きな平面形状とされており、各透孔１８の外周枠を構成する格子部２４や円環状部２６に対して周囲を固着されることにより、各透孔１８を展張状態で覆っている。
【００２６】
例えば、本体部１２の透孔１８と略同じ形状の扇形シート状のフィルタ２８を用い、本体部１２の成形後に底壁部１４の上面２０に重ね合わせて、格子部２４や円環状部２６に対して溶着等で固着することによって、フィルタ２８が本体部１２に取り付けられる。或いは、底壁部１４と略同じ外径の円形シート状のフィルタ２８を、本体部１２の成形型の成形キャビティ内にセットした状態で本体部１２を樹脂成形することにより、本体部１２の成形と同時に、フィルタ２８を底壁部１４の上面２０に対して一体的に取り付けることもできる。このようにすれば、１枚のフィルタ２８で、全ての透孔１８を覆うことができる。
【００２７】
さらに、本体部１２の底壁部１４には、透孔１８よりも外周に位置する円環状部２６から下方に向かって突出する位置決め突起３０が設けられている。この位置決め突起３０は、円環状部２６の内周近くを周方向に延びる略円筒形状とされており、下端が僅かに内周側に湾曲している。そして、この位置決め突起３０の内周面および外周面が、それぞれ透孔１８の外周に位置して周方向に広がる突起内周面３２および突起外周面３４とされている。
【００２８】
なお、本実施形態では、かかる位置決め突起３０が周上で分断されて部分的に形成されている。そして、それぞれ半周に満たない周方向長さで延びる一対の位置決め突起３０ａ，３０ｂが、互いに径方向で対向位置して設けられており、これら一対の位置決め突起３０ａ，３０ｂによって位置決め突起３０が構成されている。また、位置決め突起３０ａと位置決め突起３０ｂの周方向端部間は、位置決め突起３０が設けられていない領域として開放部３６，３６とされている。かかる開放部３６では、底壁部１４の下面２２が、透孔１８の外周縁部から底壁部１４の外周縁部に至るまで平坦な面で広がっている。
【００２９】
なお、位置決め突起３０を周上で分断構造をもって構成するに際して、その分断数や周方向の長さなどは何等限定されるものではない。尤も、後述する収容容器の注ぎ口のように収容容器への装着に支障がでる場合には、注ぎ口等との干渉が回避されるように、少なくとも一つの開放部３６において、周方向で対向する位置決め突起３０ａ，３０ｂの端縁部間の距離が、かかる注ぎ口の大きさなどに応じて設定されることが望ましい。
【００３０】
また、位置決め突起３０ａ，３０ｂは、底壁部１４の外周端縁よりも所定距離だけ内周側に位置して形成されている。これにより、底壁部１４の下面２２において、位置決め突起３０ａ，３０ｂよりも内周側に位置する内周側下面３８と、位置決め突起３０ａ，３０ｂよりも外周側に位置する外周側下面４０とが設けられている。なお、外周側下面４０は、円環状部２６の下面によって構成されている一方、内周側下面３８は、格子部２４の下面を含んで構成されている。そして、これら外周側下面４０と内周側下面３８は、何れも、略水平方向に広がっている。即ち、位置決め突起３０ａ，３０ｂの形成位置では、底壁部１４の下面２２が、位置決め突起３０ａ，３０ｂにより内周側下面３８と外周側下面４０とに分断される一方、位置決め突起３０ａ，３０ｂが設けられていない開放部３６，３６では、内周側下面３８が、開放部３６，３６を通じて外周側に開放されている。
【００３１】
一方、底壁部１４の外周縁部から立ち上がる周壁部１６が上方に向かって開放されていることにより、本体部１２の上方開口部４２が構成されている。そして、周方向に広がる内周側の内周面４４と外周側の外周面４６とにより筒状の周壁部１６が構成されている。なお、周壁部１６には、軸方向上方に向かって拡開する僅かなテーパが付されていても良い。また、この周壁部１６にはフィルタを備えた透孔が設けられておらず、本体部１２内に注ぎ入れられた血液を、周壁部１６を通じての外部漏出を阻止して周壁部１６で囲まれた内部領域４８へ保持しつつ、底壁部１４のフィルタ２８付きの透孔１８へ導くようになっている。
【００３２】
さらに、周壁部１６で囲まれた内部領域４８には、仕切壁５０が設けられている。この仕切壁５０は、十字形の平面形状をもって底壁部１４から上方に向かって立ち上がっており、周壁部１６の中心軸上から外周側に向かって放射状に四方へ広がる各平板状の壁部の外周端が、周壁部１６に対して一体的に連結されている。
【００３３】
本実施形態では、底壁部１４において、４つの透孔１８，１８，１８，１８が設けられることで十文字形の格子部２４とされていることから、かかる格子部２４がそのまま上方に向かって立ち上がるようにして、格子部２４と仕切壁５０が一体的に形成されている。これにより、周壁部１６で囲まれた本体部１２の内部領域４８が仕切壁５０によって仕切られて、４つの分割領域５２，５２，５２，５２が画成されている。
【００３４】
これらの分割領域５２，５２，５２，５２は、それぞれ略四半分の扇形の立体形状で、互いに略同じ容積とされている。そして、各分割領域５２は、上方開口部４２において各別に上方に開口していると共に、各分割領域５２の底壁部には、それぞれフィルタ２８で覆われた透孔１８が設けられており、各別にフィルタ２８を通じて下方に開口している。これにより、本実施形態の血液濾過フィルタ１０には、実質的に独立した４つの濾過領域が設けられている。
【００３５】
また、仕切壁５０は、内部領域４８の隔壁として機能する他、周壁部１６や底壁部１４（格子部２４および円環状部２６）と連結されることにより、周壁部１６や底壁部１４に対する補強片としても機能している。その結果、周壁部１６や底壁部１４において、肉厚等を過度に大きくせずとも、強度や変形剛性が確保されるようになっている。
【００３６】
また一方、周壁部１６には、上端部分から外周側に突出して広がるプレート状部５４が設けられている。このプレート状部５４は、全体として略薄板形状とされており、その上面５６と下面５８とが、何れも、周壁部１６の中心軸に直交する水平方向に広がる略平坦面とされている。
【００３７】
また、プレート状部５４は、周壁部１６の外周面から周方向の全周に亘って連続的に突出しており、径方向外方への突出寸法が周上で異ならされることで、全体として多角形の外周形状とされている。特に、本実施形態では、略正方形状とされており、各分割領域５２の外周壁の周方向中央付近に、最も突出寸法が大きい角部が位置して設けられることで、使用者が手指で把持するための把持部６０が構成されている。また、各角部は、周方向に円弧状の角取りデザインが施されて、引っ掛かり等の防止も図られている。
【００３８】
なお、４つの把持部６０，６０，６０，６０の上面には、目視可能で相互に異なる４種類の目印６２ａ，６２ｂ，６２ｃ，６２ｄの各１つが付されており、４つの分割領域５２，５２，５２，５２を各別に識別できるようになっている。また、各把持部６０の下面には、把持の際の滑り止めとしても機能する凹部６４が形成されている。このような目印６２ａ，６２ｂ，６２ｃ，６２ｄが付されていることにより、本実施形態の血液濾過フィルタ１０の１つで、最大４つの異なる血液に対して各別に濾過を行う際に、識別や確認を容易に行うことが可能とされている。
【００３９】
上記の如き構造とされた血液濾過フィルタ１０は、使用に際して、フィルタ２８により濾過された濾液が収容される収容容器の開口部に位置決めされて装着されることとなる。
【００４０】
使用する収容容器としては、何等限定されるものではないが、例えばＪＩＳ  Ｒ  ３５０３の規格に従うガラスビーカーが挙げられる。図３，５に、例えば収容容器として上記規格に従うビーカー１００ｍｌを想定して、当該収容容器６６の開口部６８に、血液濾過フィルタ１０を装着した状態を示す。なお、図３，５では、収容容器６６は、２点鎖線で示されている。また、収容容器６６の開口部６８の周縁には外周側に拡径するリップが付されていると共に、周上の一箇所には、外周に向かって嘴状に突出した注ぎ口７０が設けられている。
【００４１】
このような収容容器６６への血液濾過フィルタ１０の装着状態では、図５に示されているように、収容容器６６の開口部６８に対して、血液濾過フィルタ１０の位置決め突起３０ａ，３０ｂが外嵌される。これにより、収容容器６６の開口部６８の外周面に対して、血液濾過フィルタ１０の突起内周面３２，３２が、水平方向で近接または当接される。それと共に、収容容器６６の開口部６８の上端面に対して、血液濾過フィルタ１０における底壁部１４の格子部２４の下面３８が、上下方向で当接される。
【００４２】
これにより、収容容器６６に対して血液濾過フィルタ１０が、水平方向及び上下方向で位置決めされて、収容容器６６の上に血液濾過フィルタ１０が載置された状態で装着され得る。即ち、図５に示された装着状態では、血液濾過フィルタ１０において、位置決め突起３０ａ，３０ｂの突起内周面３２，３２と当該位置決め突起３０ａ，３０ｂよりも内周側における底壁部１４の下面３８とが共働して、収容容器６６に対する位置決め機能を発揮しており、これら突起内周面３２，３２と内周側下面３８とにより第１の位置決め部が構成されている。
【００４３】
また、かかる装着状態では、収容容器６６の注ぎ口７０が、位置決め突起３０ａ，３０ｂの周方向間の開放部３６，３６の何れか一方に位置合わせされることで、位置決め突起３０ａ，３０ｂが注ぎ口７０を逃げて相互干渉が回避されている。これにより、収容容器６６の注ぎ口７０の上に位置決め突起３０ａ，３０ｂが乗って収容容器６６に対して血液濾過フィルタ１０が傾く不具合が防止されている。
【００４４】
次に、例えば収容容器として前述のＪＩＳ  Ｒ  ３５０３の規格に従うビーカー２００ｍｌおよびビーカー３００ｍｌを想定して、これらの収容容器７２，７４の開口部６８に、血液濾過フィルタ１０を装着した状態を、図６，７に示す。
【００４５】
すなわち、図６に示されているように、例えば収容容器としてＪＩＳ  Ｒ  ３５０３の規格に従うビーカー２００ｍｌが採用される場合には、収容容器７２の開口部６８に対して、血液濾過フィルタ１０の位置決め突起３０ａ，３０ｂが内嵌される。これにより、開口部６８の内周面と突起外周面３４，３４とが水平方向で近接または当接している。それと共に、底壁部１４の円環状部２６の下面４０と収容容器７２の開口部６８とが上下方向で当接している。この結果、収容容器７２に対して血液濾過フィルタ１０が水平及び上下方向で位置決めされている。従って、位置決め突起３０ａ，３０ｂの突起外周面３４，３４と当該位置決め突起３０ａ，３０ｂよりも外周側における底壁部１４の下面４０とが共働して位置決め機能を発揮しており、これら突起外周面３４，３４と外周側下面４０とにより第２の位置決め部が構成されている。
【００４６】
さらに、図７に示されているように、例えば収容容器としてＪＩＳ  Ｒ  ３５０３の規格に従うビーカー３００ｍｌが採用される場合には、収容容器７４の本体部分に対して血液濾過フィルタ１０の周壁部１６が内嵌されることにより、収容容器７４の開口部６８に血液濾過フィルタ１０が装着される。これにより、収容容器７４本体部分の内周面と周壁部１６の外周面４６とが水平方向で近接または当接している。それと共に、プレート状部５４の下面５８と収容容器７４の開口部６８とが上下方向で当接している。この結果、収容容器７４に対して血液濾過フィルタ１０が水平及び上下方向で位置決めされている。従って、周壁部１６の外周面４６とプレート状部５４の下面５８とが共働して位置決め機能を発揮しており、これらにより第３の位置決め部が構成されている。
【００４７】
すなわち、図５〜７に示されているように、本実施形態の血液濾過フィルタ１０には、位置決め部が第１〜第３の位置決め部を含んで構成されており、収容容器の開口部の大きさに応じて何れかの位置決め部を選択的に採用して、収容容器と血液濾過フィルタとの位置決めを行うことが可能となっている。
【００４８】
具体的には、図５に示されるように、収容容器６６における開口部６８の外径寸法が位置決め突起３０ａ，３０ｂの内径寸法よりも小さい場合には、第１の位置決め部が選択されて、収容容器６６の開口部６８に対して血液濾過フィルタ１０の位置決め突起３０ａ，３０ｂが外嵌状態で装着される。また、図６に示されるように、位置決め突起３０ａ，３０ｂの外径寸法が、収容容器７２における本体部分の内径寸法よりも大きく、収容容器７２における開口部６８の外径寸法よりも小さい場合には、第２の位置決め部が選択されて、収容容器７２の開口部６８に対して血液濾過フィルタ１０の位置決め突起３０ａ，３０ｂが内嵌状態で装着される。更に、図７に示されるように、血液濾過フィルタ１０の周壁部１６の外径寸法が収容容器７４における本体部分の内径寸法よりも僅かに小さい場合には、第３の位置決め部が選択されて、収容容器７４の本体部分に対して血液濾過フィルタ１０の周壁部１６が内嵌状態で装着される。
【００４９】
なお、例えばＪＩＳ  Ｒ  ３５０３の規格に従うビーカー５００ｍｌのように、血液濾過フィルタ１０の周壁部１６の外径寸法が収容容器本体部分の内径寸法よりも十分に小さく、血液濾過フィルタ１０のプレート状部４６の最大幅寸法（本実施形態ではＷ）が収容容器の開口部における外径寸法よりも大きい場合には、プレート状部５４の下面５８と収容容器の開口部とが上下方向で当接すると共に、周壁部１６の外周面４６と収容容器本体部分の内周面とが水平方向で離隔した状態で、血液濾過フィルタ１０が収容容器の開口部に装着される。即ち、血液濾過フィルタ１０が、収容容器に対して、上下方向で位置決めされて装着される。
【００５０】
かかる状態で収容容器の開口部に装着された血液濾過フィルタ１０に対して上方開口部４２から濾過対象である血液を注入することにより、当該血液が底壁部１４の各透孔１８に設けられたフィルタ２８を通過することで、血栓や血塊等を血液から分離し得るようになっている。
【００５１】
上記の如き構造とされた本実施形態の血液濾過フィルタ１０では、複数の位置決め部が設けられており、収容容器の開口部のサイズに応じて、位置決め部が適宜選択されることから、開口部のサイズの異なる複数の収容容器に対して、血液濾過フィルタ１０を設置することができる。
【００５２】
なお、本実施形態では、血液濾過フィルタ１０において各位置決め部を構成する各部位のサイズとして、例えば以下に例示する寸法範囲が好適に採用され、それによって、過度の大形化を回避しつつ、前述のＪＩＳ規格に従う各サイズのビーカー１００ｍｌ〜５００ｍｌに対して、何れも、良好に装着可能とされる。
【００５３】
すなわち、位置決め突起３０ａ，３０ｂの内径寸法φＡ（図５参照）は、好適には５０ｍｍ≦φＡ≦７０ｍｍとされ、より好適には６１ｍｍ≦φＡ≦６３ｍｍとされる。また、位置決め突起３０ａ，３０ｂの外径寸法φＢ（図６参照）は、好適には５５ｍｍ≦φＢ≦７５ｍｍとされ、より好適には６４ｍｍ≦φＢ≦６６ｍｍとされる。更にまた、周壁部１４の最大外径寸法φＣは、好適には６０ｍｍ≦φＣ≦８０ｍｍとされ、より好適には７１ｍｍ≦φＣ≦７３ｍｍとされる。
【００５４】
また、位置決め突起３０ａ，３０ｂの高さ寸法Ｔ（図４参照）は、好適には３．０ｍｍ≦Ｔ≦４．０ｍｍとされ、より好適には３．３ｍｍ≦Ｔ≦３．７ｍｍとされる。更にまた、正方形状とされたプレート状部４６の対角線方向における端部間の距離Ｗ（図３参照）は、好適には９０ｍｍ≦Ｗ≦１３０ｍｍとされ、より好適には１０９ｍｍ≦Ｗ≦１１１ｍｍとされる。
【００５５】
特に、本実施形態では、位置決め突起３０ａ，３０ｂが周上で部分的に形成されており、周上において当該位置決め突起３０ａ，３０ｂが設けられていない部分が開放部３６，３６とされていることから、前述のビーカーの注ぎ口７０の如き開口部６８における周上の一部が突出している形状であっても、かかる突出部分に開放部３６，３６を位置合わせすることにより、位置決め突起３０ａ，３０ｂが突出部分に乗り上げることが回避されて、収容容器に対して血液濾過フィルタ１０が傾くことなく載置され得る。これにより、血液濾過フィルタ１０と収容容器の開口部との間に隙間が生じることが回避されて、血液濾過の際の血液の漏出が防止され得る。
【００５６】
さらに、位置決め突起３０ａ，３０ｂを周上で部分的に形成して、開放部３６，３６を設けることにより、位置決め突起３０ａ，３０ｂまたは周壁部１６が収容容器の開口部に対して略密接状態で嵌め入れられて血液の濾過が実施される場合において、収容容器内の空気を安定して逃がすことができて、濾過に伴う収容容器内の圧力上昇等により濾過作業が阻害されるおそれが軽減される。
【００５７】
また、本実施形態では、周壁部１６の上端から外周側に突出して、全周に亘って連続して広がるプレート状部５４が形成されており、周方向で突出寸法が異ならされて全体として多角形状とされている。特に、突出寸法を大きくした部分により把持部６０を構成して把持のし易さを向上させると共に、把持部６０以外の部分では突出寸法が小さくされることから、プレート状部５４、ひいては血液濾過フィルタ１０全体のサイズが小さく抑えられる。また、プレート状部５４が全周に亘って連続して形成されていることから、血液濾過フィルタ１０の強度や剛性の向上が図られ得る。
【００５８】
さらに、把持部６０の下面には、それぞれ凹部６４が設けられており、その凹凸構造をもって、使用者が把持部６０を把持した際の滑り止めの効果が発揮される。これにより、使用者が把持部６０を一層把持し易いようにされている。
【００５９】
以上、本発明の実施形態について詳述してきたが、本発明は上述の具体的な記載によって何等限定的に解釈されるものでない。
【００６０】
例えば、前記実施形態では、収容容器としてＪＩＳ  Ｒ  ３５０３の規格に従うガラスビーカーを例示したが、これに限定されるものではない。即ち、上記規格に従わないガラスビーカーや合成樹脂製のビーカー、フラスコ、チューブや試験管、紙コップ等、収容容器の形状、材質、大きさ等は何等限定されるものではない。
【００６１】
また、本発明において、プレート状部は必須なものではなく、第３の位置決め部は設けられなくてもよい。即ち、血液濾過フィルタにおける位置決め部として少なくとも第１の位置決め部と第２の位置決め部とが設けられていれば、本発明の課題は解決され得る。
【００６２】
さらに、前記実施形態では、位置決め突起３０ａ，３０ｂが円周上で部分的に設けられて、当該位置決め突起３０ａ，３０ｂが設けられていない部分が、開放部３６，３６とされていたが、かかる態様に限定されない。即ち、開放部は必須なものではなく、位置決め突起は、周上の全周に亘って連続して延びて形成されてもよい。
【００６３】
また、位置決め突起は、周方向に連続して延びる円弧状に限定されるものでなく、例えばピン状の突起を、半周を越える円周上の領域で３点以上の複数箇所に設けても良いし、全体として多角形状に、連続してまたは断続的に形成される直線的な突条の如き形状とされて、収容容器の開口部に対して内嵌または外嵌されることにより、水平方向で位置決めされるようにしてもよい。
【００６４】
なお、血液濾過フィルタ１０の収容容器への装着状態において、位置決め突起３０の内周面や外周面、周壁部の外周面と、それらが径方向で位置決めされる収容容器の開口部外周面や内周面、収容容器本体部分の内周面とは、互いに径方向で隙間無く当接された嵌合状態とされても良いが、着脱作業の容易さや、部材の寸法誤差等を考慮して、僅かな隙間をもって装着される寸法設定が好適である。
【００６５】
また、血液濾過フィルタに設けられる分割領域の数は前記実施形態の如き４つに限定されない。更に、前記実施形態では、各分割領域５２の外周壁の周方向中央付近に、それぞれ把持部６０が形成されていたが、分割領域の数と把持部の数は一致しなくてもよい。即ち、例えば分割領域の数が４つであっても、把持部が周方向で３カ所や５カ所以上設けられてもよい。また、プレート状部は、全体として三角形や五角形以上の多角形状などとされもよい。なお、各分割領域を識別する目印は、角部以外の周壁部や底壁部などに付することも可能であり、各分割領域を構成する周壁部を多色成形等で色分けして目印とすることも可能である。
【００６６】
更にまた、プレート状部は全周に亘って設けられる必要はなく、周方向の複数カ所において舌片状やロッド状で突出する突片や突起等であってもよい。また、周方向の全周に亘って一定の突出寸法で延び出した円環形状であってもよい。
【００６７】
さらに、前記実施形態では、周壁部１６は円筒形状とされていたが、これに限定されない。即ち、周壁部の水平断面において、周壁部内周面と周壁部外周面の少なくとも一方が、例えば楕円や半円、扇形、多角形状等であってもよい。
【００６８】
また、前記実施形態では、周壁部１６の上端からプレート状部４６が外周側に突出していたが、例えば周壁部の高さ方向の中間部分からプレート状部が外周側に突出していてもよい。
【００６９】
なお、前記実施形態のように、周壁部１６の内周面４４においては、周上で離隔した複数の位置を相互に連結する補強片が設けられることが好適である。このような補強片を設けることにより、周壁部１６の強度や剛性の向上を図ることができる。例えば、周壁部１６で囲まれた内部領域４８の中心から放射状に延びて各先端が周壁部１６の内周面４４に一体的に固着された補強片として前記実施形態における仕切壁５０の如き構造が採用され得る。また、かかる補強片は、仕切壁５０のように、周壁部１６で囲まれた内部領域４８において底面から深さ方向に立ち上がる隔壁とされていてもよい。その場合には、仕切壁５０のように、底壁部１４を放射形状をもって、補強片と一体形成することも可能である。このような隔壁で内部領域４８を分割領域５２に仕切ることにより、複数の分割領域５２を相互に独立して形成することが可能となるのである。
【符号の説明】
【００７０】
１０：血液濾過フィルタ、１２：本体部（カップ状本体）、１４：底壁部、１６：周壁部、１８：透孔、２２：下面（底壁部）、３０，３０ａ，３０ｂ：位置決め突起、３２：突起内周面、３４：突起外周面、３６：開放部、３８：内周側下面、４０：外周側下面、４６：外周面（周壁部）、５４：プレート状部、５８：下面（プレート状部）、６６，７２，７４：収容容器、６８：開口部
【図１】
0006338057.tif 000002
【図２】
0006338057.tif 000003
【図３】
0006338057.tif 000004
【図４】
0006338057.tif 000005
【図５】
0006338057.tif 000006
【図６】
0006338057.tif 000007
【図７】
0006338057.tif 000008